(57)【特許請求の範囲】
【請求項１】
装置内部にアクセスするために外装の少なくとも一部が開放状態となる装置であって、
該装置の内部に設けられた内部センサを用いて、前記外装の少なくとも一部の開放の前後における、該装置の内部の環境に係る、温度および湿度を含む測定値を取得する測定手段と、
前記測定値に基づいて、該装置の内部の環境に係る、前記温度および前記湿度に係る環境パラメータとして、前記開放の前後における前記測定値の変化を取得する環境パラメータ取得手段と、
前記環境パラメータに示される環境において該装置の開放状態が継続された場合に該装置が正常な状態を維持可能と予測される時間を示す予測開放可能時間と該環境パラメータとの対応関係を示す対応関係情報に基づいて得られる、前記環境パラメータに対応する予測開放可能時間を取得する予測開放可能時間取得手段と、
を備える装置。
【請求項２】
前記測定手段は、該装置の内部に設けられた内部センサおよび外部に設けられた外部センサを用いて前記測定値を取得し、
前記環境パラメータ取得手段は、前記環境パラメータとして、前記内部センサによる測定値と前記外部センサによる測定値との組み合わせを取得し、
前記予測開放可能時間取得手段は、前記組み合わせに対応する予測開放可能時間を取得する、
請求項１に記載の装置。
【請求項３】
前記測定手段は、該装置の内部に設けられた内部センサおよび外部に設けられた外部センサを用いて前記測定値を取得し、
前記環境パラメータ取得手段は、前記環境パラメータとして、前記内部センサによる測定値と前記外部センサによる測定値との差分を取得し、
前記予測開放可能時間取得手段は、前記差分に対応する予測開放可能時間を取得する、
請求項１に記載の装置。
【請求項４】
前記予測開放可能時間取得手段は、複数種類の前記予測開放可能時間を取得し、
取得された複数種類の予測開放可能時間を、所定の条件に従って夫々重み付けする重み
付け手段を更に備える、
請求項１から３の何れか一項に記載の装置。
【請求項５】
前記予測開放可能時間取得手段によって取得された予測開放可能時間または該予測開放可能時間に応じた内容を出力する出力手段を更に備える、
請求項１から４の何れか一項に記載の装置。
【請求項６】
装置内部にアクセスするために外装の少なくとも一部が開放状態となる装置において、該開放状態を継続可能な時間を予測する時間予測方法であって、コンピュータが、
前記外装の少なくとも一部の開放を検知する開放検知ステップと、
該装置の内部に設けられた内部センサを用いて、前記開放検知ステップで検知された開放の前後における、該装置の内部の環境に係る、温度および湿度を含む測定値を取得する測定ステップと、
前記測定値に基づいて、該装置の内部の環境に係る、前記温度および前記湿度に係る環境パラメータとして、前記開放の前後における前記測定値の変化を取得する環境パラメータ取得ステップと、
前記環境パラメータに示される環境において該装置の開放状態が継続された場合に該装置が正常な状態を維持可能と予測される時間を示す予測開放可能時間と該環境パラメータとの対応関係を示す対応関係情報に基づいて得られる、前記環境パラメータに対応する予測開放可能時間を取得する予測開放可能時間取得ステップと、
を実行する時間予測方法。
【請求項７】
装置内部にアクセスするために外装の少なくとも一部が開放状態となる装置における、該開放状態を継続可能な時間を予測するための時間予測用プログラムであって、コンピュータに、
該装置の内部に設けられた内部センサを用いて、前記外装の少なくとも一部の開放の前後における、該装置の内部の環境に係る、温度および湿度を含む測定値を取得する測定ステップと、
前記測定値に基づいて、該装置の内部の環境に係る、前記温度および前記湿度に係る環境パラメータとして、前記開放の前後における前記測定値の変化を取得する環境パラメータ取得ステップと、
前記環境パラメータに示される環境において該装置の開放状態が継続された場合に該装置が正常な状態を維持可能と予測される時間を示す予測開放可能時間と該環境パラメータとの対応関係を示す対応関係情報に基づいて得られる、前記環境パラメータに対応する予測開放可能時間を取得する予測開放可能時間取得ステップと、
を実行させるための時間予測用プログラム。
【発明の詳細な説明】
【技術分野】
【０００１】
本発明は、装置内部にアクセスするために外装の少なくとも一部が開放状態となる装置、該装置において開放状態を継続可能な時間を予測する時間予測方法、および時間予測用プログラムに関する。
【背景技術】
【０００２】
従来、露光に用いる照明用のランプを交換する際のメンテナンス用の扉を備えた露光装置およびこれを用いたデバイス製造方法において、露光装置に対し、ランプの温度情報を検出する手段と、露光装置本体のシーケンスの停止を確認してその旨の停止情報を出力する手段、あるいは、温度情報に基づいて前記扉を開けても良いか否かの情報を表示する手段とを設ける技術がある（特許文献１を参照）。
【０００３】
また、冷却装置と、庫内ファンと、冷却器に設けた冷却器温度検知手段とを備え、前記冷却器温度検知手段が一定時間所定温度以下になった場合に、庫内ファンの故障と判断し、表示部に故障表示させることでメンテナンスを促す自動販売機がある（特許文献２を参照）。
【先行技術文献】
【特許文献】
【０００４】
【特許文献１】特開２０００−２１７４３号公報
【特許文献２】特開２００５−１４１４７２号公報
【発明の概要】
【発明が解決しようとする課題】
【０００５】
従来、装置の保守のためには、装置外装を開放状態とし、装置内部にアクセスする作業が行われる。しかし、装置外装を開放状態とした場合、装置内部の環境が開放状態の継続に伴って変化し、装置内部の環境が望ましくない環境となってしまう可能性がある。例えば、装置が屋外に設置されているような場合には、装置外装が開放状態となったことを契機として、装置内部の温度や湿度が外気温または外湿度に近付くように変化し、装置において、装置故障や設備劣化等の問題が発生する可能性がある。なお、装置故障や設備劣化等の問題は、装置扉が開放状態にあるときにのみ発生しうるものではない。装置扉を開放後、装置扉を閉めた後にも、上記問題は発生し得る。例えば、外部の湿度が装置内部より高い環境で装置扉を開放し、結露前に装置扉を閉めた場合であっても、装置扉の開放によって外部湿度に近付いた装置内部の湿度によって、扉を閉めた後に結露が発生し、装置故障や設備劣化等の問題を起こす可能性がある。
【０００６】
本発明は、上記した問題に鑑み、装置外装を開放状態とした場合の装置内部の環境変化に伴う問題を発生させない程度に装置外装を開放可能な時間を得ることを課題とする。
【課題を解決するための手段】
【０００７】
本発明では、上記課題を解決するために、以下の手段を採用した。即ち、本発明は、装置内部にアクセスするために外装の少なくとも一部が開放状態となる装置であって、該装置の内部および外部の少なくとも一方の環境に係る測定値を取得する測定手段と、前記測定値に基づいて、該装置の内部および外部の少なくとも一方の環境に係る環境パラメータを取得する環境パラメータ取得手段と、前記環境パラメータに示される環境において前記開放状態を継続可能と予測される時間を示す予測開放可能時間と該環境パラメータとの対応関係を示す対応関係情報に基づいて得られる、前記環境パラメータに対応する予測開放
可能時間を取得する予測開放可能時間取得手段と、を備える装置である。
【０００８】
ここで、本発明に係る装置は、装置内部にアクセスするために外装の少なくとも一部が開放状態となる装置であればよい。外装の一部としては、例えば、装置扉等が挙げられるが、本発明に係る装置には、装置内部にアクセスするために外装全体が除去されるような装置も含まれる。また、対応関係情報は、例えば、環境パラメータから予測開放可能時間を算出可能な関数や、環境パラメータから予測開放可能時間を取得可能なテーブル、マップ等である。
【０００９】
本発明によれば、装置の内部および外部の少なくとも一方の環境に係る環境パラメータを取得し、この環境パラメータに対応する予測開放可能時間を取得することで、環境パラメータに示される環境において開放状態を継続可能と予測される時間を得ることが出来る。
【００１０】
また、本発明において、前記予測開放可能時間は、前記環境パラメータに示される環境において該装置の開放状態が継続された場合に、該装置が正常な状態を維持可能と予測される時間であってもよい。
【００１１】
また、本発明において、前記測定手段は、該装置の内部に設けられた内部センサおよび外部に設けられた外部センサを用いて前記測定値を取得し、前記環境パラメータ取得手段は、前記環境パラメータとして、前記内部センサによる測定値と前記外部センサによる測定値との組み合わせを取得し、前記予測開放可能時間取得手段は、前記組み合わせに対応する予測開放可能時間を取得してもよい。
【００１２】
このようにすることで、内部センサおよび外部センサを用いて取得された測定値を用いて予測開放可能時間を取得することで、より正確な予測開放可能時間を得ることが出来る。
【００１３】
また、本発明において、前記測定手段は、該装置の内部に設けられた内部センサおよび外部に設けられた外部センサを用いて前記測定値を取得し、前記環境パラメータ取得手段は、前記環境パラメータとして、前記内部センサによる測定値と前記外部センサによる測定値との差分を取得し、前記予測開放可能時間取得手段は、前記差分に対応する予測開放可能時間を取得してもよい。
【００１４】
このようにすることで、内部センサによる測定値と外部センサによる測定値との差分を用いて予測開放可能時間を取得することで、シンプルな環境パラメータを用いて予測開放可能時間を得ることが出来る。
【００１５】
また、本発明に係る装置は、前記外装の少なくとも一部の開放を検知する開放検知手段を更に備え、前記測定手段は、該装置の内部に設けられた内部センサを用いて、前記開放検知手段によって検知された開放の前後における測定値を取得し、前記環境パラメータ取得手段は、前記環境パラメータとして、前記開放の前後における前記測定値の変化を取得し、前記予測開放可能時間取得手段は、前記変化に対応する予測開放可能時間を取得してもよい。
【００１６】
このようにすることで、開放前後の装置内部の温湿度変化を用いて予測開放可能時間を取得することで、外部センサを用いずに予測開放可能時間を得ることが出来る。
【００１７】
また、本発明において、前記予測開放可能時間取得手段は、複数種類の前記予測開放可能時間を取得し、本発明に係る装置は、取得された複数種類の予測開放可能時間を、所定
の条件に従って夫々重み付けする重み付け手段を更に備えてもよい。
【００１８】
ここで、取得される複数種類の予測開放可能時間としては、例えば、温度に基づく予測開放可能時間および湿度に基づく予測開放可能時間の他、装置を構成する構成要素毎の予測開放可能時間がある。
【００１９】
複数種類の前記予測開放可能時間を取得し、取得された複数種類の予測開放可能時間を、所定の条件に従って夫々重み付けすることで、センサによって取得される測定値以外の、環境に関連する条件を考慮した予測開放可能時間を取得することが可能となる。
【００２０】
また、本発明に係る装置は、前記予測開放可能時間取得手段によって取得された予測開放可能時間または該予測開放可能時間に応じた内容を出力する出力手段を更に備えてもよい。
【００２１】
ここで、出力手段は、例えば、作業可能な時間があとどれだけ残されているかを示す作業可能残時間、作業可能残時間が尽きる時刻を示す作業限度時刻、作業可能な時間が残り少ないことや作業可能な時間が尽きたことを示すタイムオーバー警告、等を出力する。
【００２２】
また、本発明は、コンピュータによって実行される方法、またはコンピュータに実行させるプログラムとしても把握することが可能である。また、本発明は、そのようなプログラムをコンピュータその他の装置、機械等が読み取り可能な記録媒体に記録したものでもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００２３】
本発明によれば、装置外装を開放状態とした場合の装置内部の環境変化に伴う問題を発生させない程度に装置外装を開放可能な時間を得ることが可能となる。
【図面の簡単な説明】
【００２４】
【図１】実施形態に係るＫＩＯＳＫ装置のハードウェア構成の概略を示す図である。
【図２】実施形態に係るＫＩＯＳＫ装置の機能構成の概略を示す図である。
【図３】実施形態に係る開放可能時間出力処理の流れを示すフローチャートである。
【図４】実施形態に係る開放可能時間出力処理の流れを示すフローチャートである。
【図５】実施形態に係る、複数の予測開放可能時間の比較処理を含む開放可能時間出力処理の流れを示すフローチャートを示す図である。
【図６】実施形態に係る、複数の予測開放可能時間の重み付け処理を含む開放可能時間出力処理の流れを示すフローチャートを示す図である。
【図７】実施形態に係る温湿度テーブルを示す図である。
【図８】実施形態に係る温度テーブルを示す図である。
【図９】実施形態に係る湿度テーブルを示す図である。
【図１０】実施形態における経過時間と内部温度との関係を示す経過時間算出関数の一例をグラフに表した図である。
【図１１】実施形態における経過時間と内部湿度との関係を示す経過時間算出関数の一例をグラフに表した図である。
【図１２】実施形態における温度差分と予測開放可能時間との関係を示す予測開放可能時間算出関数の一例をグラフに表した図である。
【図１３】実施形態における湿度差分と予測開放可能時間との関係を示す予測開放可能時間算出関数の一例をグラフに表した図である。
【図１４】実施形態における予測開放可能時間、外部温度、および内部温度の関係を示す予測開放可能時間算出関数の一例をグラフに表した図である。
【図１５】実施形態における予測開放可能時間、外部湿度、および内部湿度の関係を示す予測開放可能時間算出関数の一例をグラフに表した図である。
【図１６】実施形態に係る開放可能時間出力処理の流れを示すフローチャートである。
【発明を実施するための形態】
【００２５】
以下、本発明に係る装置の実施の形態について、図面に基づいて説明する。なお、以下に説明する実施の形態は、本発明を実施する一例を示すものであって、本発明を以下に説明する具体的構成に限定するものではない。本発明を実施するにあたっては、実施の形態に応じた具体的構成が適宜採用されることが好ましい。本実施形態において、本発明に係る装置は、屋外に設置されるＫＩＯＳＫ装置として実施される。但し、本発明の適用対象は、ＫＩＯＳＫ装置に限定されない。また、装置は、装置外装の開放によって装置内部の環境が変化する可能性があれば、屋外に限らず屋内に設置されてもよい。
【００２６】
＜装置の構成＞
図１は、本実施形態に係るＫＩＯＳＫ装置１のハードウェア構成の概略を示す図である。ＫＩＯＳＫ装置１は、ＣＰＵ（Ｃｅｎｔｒａｌ  Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ
Ｏｎｌｙ  Ｍｅｍｏｒｙ）１３と、補助記憶装置１９と、タッチパネルディスプレイ１４と、スピーカ１５と、ネットワークインターフェース１６と、近距離通信インターフェース１７と、プリンタ１８と、対人センサ２０と、操作用ボタン２１と、扉開閉センサ２３と、ＬＥＤ２４と、内部温湿度センサ２５と、外部温湿度センサ２６と、が電気的に接続され、外装の一部に装置扉２２を有する情報処理装置である。
【００２７】
但し、本発明の実施にあたって、本発明に係る装置は、上記した構成を全て備える必要はない。装置の具体的なハードウェア構成に関しては、実施の形態に応じて適宜構成要素の省略や置換、追加が可能である。例えば、装置外装の開放状態に関係なく環境パラメータが取得される場合には、扉開閉センサ２３は省略されてよい。また、ＫＩＯＳＫ装置１には、入力装置として更にマウスやキーボード等が接続されてもよい。
【００２８】
ＣＰＵ１１は、中央処理装置であり、ＲＡＭ１２およびＲＯＭ１３等に展開された命令及びデータを処理することで、ＲＡＭ１２、補助記憶装置１９、入出力装置等の、ＫＩＯＳＫ装置１に備えられた各構成を制御する。また、ＲＡＭ１２は、主記憶装置であり、ＣＰＵ１１によって制御され、各種命令やデータが書き込まれ、読み出される。即ち、ＣＰＵ１１、ＲＡＭ１２、およびＲＯＭ１３は、ＫＩＯＳＫ装置１の制御部を構成する。
【００２９】
補助記憶装置１９は、不揮発性の記憶装置であり、主にＫＩＯＳＫ装置１の電源を落としても保持したい情報、例えば、ＲＡＭ１２にロードされるＫＩＯＳＫ装置１のＯＳ（Ｏｐｅｒａｔｉｎｇ  Ｓｙｓｔｅｍ）や、図３以降のフローチャートに示された処理を実行するための各種プログラムの他、ＫＩＯＳＫ装置１によって使用される各種データが書き込まれ、読み出される。補助記憶装置１９としては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やＨＤＤ（Ｈａｒｄ  Ｄｉｓｋ  Ｄｒｉｖｅ）等を用いることが出来る。
【００３０】
本実施形態に係るＫＩＯＳＫ装置１では、入出力装置として、主にタッチパネルディスプレイ１４や操作用ボタン２１、スピーカ１５等が用いられ、ＣＰＵ１１によって制御され、データを出力し、ユーザによる操作を受け付けることで、ユーザの五感を通じて情報を提供し、ユーザによるタッチ操作やボタン押下操作等を介してユーザによる入力を受け付ける。入出力装置から入力された内容はＲＡＭ１２に記録され、ＣＰＵ１１によって処
理される。ユーザインターフェースとしては、タッチパネルディスプレイ１４等を介した画面表示を介した入出力の他、マイク（図示は省略する）およびスピーカ１５を用いた音声による入出力、カメラ（図示は省略する）を用いたジェスチャによる入力等を用いることが出来る。
【００３１】
近距離通信インターフェース１７は、通信を行う端末同士が、一定の距離または一定の領域内にある場合に通信が可能となる通信インターフェースである。具体的には、本実施形態では、近距離通信インターフェース１７として、ユーザ端末である携帯電話端末に内蔵された非接触式ＩＣカードと通信を行うことが可能な近距離通信インターフェース１７、即ち、非接触式ＩＣカード用のリーダ・ライタが採用される。但し、ＫＩＯＳＫ装置１とユーザ端末との間の通信には、その他の通信方式、例えば、接触式ＩＣカード通信や無線ＬＡＮ、Ｂｌｕｅｔｏｏｔｈ、ＲＦＩＤ等の通信方式が採用されてもよい。
【００３２】
対人センサ２０は、赤外線や超音波等を用いて、ＫＩＯＳＫ装置１の近傍におけるユーザを検知し、ユーザが検知されると、ユーザが検知されたことを示す信号を出力する。
【００３３】
装置扉２２は、ＫＩＯＳＫ装置１の内部にアクセスするために開放される扉であり、装置外装の一部である。装置扉２２は、例えば、保守のために用いることが出来るが、本実施形態において装置扉２２の用途は限定されない。例えば、装置扉２２は、装置の電源投入用等、保守以外の用途を有するものであってもよい。また、扉開閉センサ２３は、装置扉２２が開放状態であるか否かの検知、および装置扉２２が開閉操作されたことの検知を行うことが可能な出力を行うセンサである。
【００３４】
内部温湿度センサ２５および外部温湿度センサ２６は、設置位置における温度および湿度を測定可能なセンサである。なお、本実施形態において、内部温湿度センサ２５は、装置内部（装置外装の内側）の一箇所、外部温湿度センサ２６は、装置外部（装置外装の外側）の一箇所に設けられるが、これらのセンサは、管理の対象となる装置の構成要素の全てに取り付けられてもよいし、動作保証温湿度範囲が狭い部品（例えば、プリンタ１８、磁気読み取りユニット、ＨＤＤ、タッチパネルディスプレイ１４等）に取付けられてもよい。
【００３５】
図２は、本実施形態に係るＫＩＯＳＫ装置１の機能構成の概略を示す図である。本実施形態に係る情報処理装置は、ＣＰＵ１１が、ＲＡＭ１２に展開された各種プログラムを解釈および実行することで、測定部３１と、環境パラメータ取得部３２と、予測開放可能時間取得部３３と、開放検知部３４と、重み付け部３５と、出力部３６と、を備えるＫＩＯＳＫ装置１として機能する。これらの各機能部は、本発明に係る情報処理装置が備える各手段に相当する機能を実行する。また、本実施形態では、これらの機能がいずれも汎用のＣＰＵ１１によって実行される例について説明しているが、これらの機能は、その一部または全部が、１または複数の専用のプロセッサによって実現されてもよい。
【００３６】
測定部３１は、ＫＩＯＳＫ装置１の内部および外部の少なくとも一方の環境に係る測定値を、ＫＩＯＳＫ装置１の内部に設けられた内部温湿度センサ２５および外部に設けられた外部温湿度センサ２６を用いて取得する。
【００３７】
環境パラメータ取得部３２は、測定値に基づいて、ＫＩＯＳＫ装置１の内部および外部の少なくとも一方の環境に係る環境パラメータを取得する。ここで、環境パラメータ取得部３２は、環境パラメータとして、内部温湿度センサ２５による測定値と外部温湿度センサ２６による測定値との組み合わせを取得してもよいし、内部温湿度センサ２５による測定値と外部温湿度センサ２６による測定値との差分を取得してもよいし、開放の前後における測定値の変化を取得してもよい。
【００３８】
予測開放可能時間取得部３３は、環境パラメータに示される環境において開放状態を継続可能と予測される時間を示す予測開放可能時間ｔmと環境パラメータとの対応関係を示
すテーブルやマップ、関数等の対応関係情報に基づいて、環境パラメータに対応する予測開放可能時間ｔmを取得する。
【００３９】
開放検知部３４は、扉開閉センサ２３からの出力信号に基づいて、外装の一部である装置扉２２の開放を検知する。
【００４０】
重み付け部３５は、複数種類の予測開放可能時間ｔmが取得された場合に、取得された
複数種類の予測開放可能時間ｔmを、所定の条件に従って夫々重み付けする。重み付け処
理の詳細については、フローチャートを用いて後述する。
【００４１】
出力部３６は、予測開放可能時間取得部３３によって取得された予測開放可能時間ｔm
または当該予測開放可能時間ｔmに応じた内容（メッセージや警告音等）を出力する。
【００４２】
＜処理の流れ＞
以下、図３から図６に示すフローチャートを用いて、本実施形態に係る処理の流れを説明する。なお、本実施形態においてフローチャートを用いて説明される処理の具体的な内容および順序等は、本発明を実施する上での一例である。具体的な処理内容および順序等は、実施の形態に応じて適宜選択されることが好ましい。
【００４３】
図３は、本実施形態に係る開放可能時間出力処理の流れを示すフローチャートである。本フローチャートに示された処理は、操作用ボタン２１に含まれる保守用ボタンが押下されたことや、保守作業者による近距離通信インターフェース１７へのＩＣカードのタッチ操作が行われたこと、装置扉２２の開放操作が検知されたこと、その他の操作による保守モードへの移行操作が行われたこと、対人センサ２０によってユーザが検知されたこと、等を契機として実行される。但し、本フローチャートに示された処理は、ＫＩＯＳＫ装置１の起動中に、継続的または定期的に実行されてもよい。
【００４４】
ステップＳ１０１では、温度および湿度が取得される。測定部３１は、内部温湿度センサ２５から内部温度Ｔin（装置内部の温度）および内部湿度Ｈin（装置内部の湿度）を取得し、更に、外部温湿度センサ２６から外部温度Ｔout（外気温）および外部湿度Ｈout（外湿度）を取得する。温度および湿度が取得されると、処理はステップＳ１０２へ進む。
【００４５】
ステップＳ１０２では、環境パラメータが取得される。測定部３１によって温度および湿度が取得されると、環境パラメータ取得部３２は、取得された温度および湿度（外部温度Ｔout、内部温度Ｔin、外部湿度Ｈoutおよび内部湿度Ｈin）に基づいて、環境パラメータを取得する。本フローチャートに示される処理においては、環境パラメータとして、取得された温度および湿度自体の組み合わせが採用される。即ち、環境パラメータ取得部３２は、ステップＳ１０１において取得された外部温度Ｔout、内部温度Ｔin、外部湿度Ｈoutおよび内部湿度Ｈinの組み合わせを、そのまま環境パラメータとする。環境パラメータが取得されると、処理はステップＳ１０３へ進む。
【００４６】
但し、環境パラメータとして、取得された外部温湿度と内部温湿度との差分が採用されてもよい。環境パラメータとして外部温湿度と内部温湿度との差分が採用される場合には、環境パラメータ取得部３２は、ステップＳ１０１において取得された内部温度Ｔinと外部温度Ｔoutとの差分（以下、「温度差分Ｔdiv」と称する）、およびステップＳ１０１において取得された内部湿度Ｈinと外部湿度Ｈoutとの差分（以下、「湿度差分Ｈdiv」と称する）、を取得する。
【００４７】
ステップＳ１０３では、予測開放可能時間ｔm（保守作業可能時間）が取得される。予
測開放可能時間取得部３３は、ステップＳ１０２において取得された環境パラメータに示される環境に対応する予測開放可能時間ｔmを取得する。予測開放可能時間ｔmは、装置扉２２の開放状態を継続可能と予測される時間を示す時間であり、また、環境パラメータに示される環境において開放状態が継続された場合に、ＫＩＯＳＫ装置１が正常な状態を維持可能と予測される時間である。
【００４８】
予測開放可能時間ｔmは、得られた環境パラメータに対応するものが取得される。予測
開放可能時間ｔmの具体的な取得方法としては、環境パラメータと予測開放可能時間ｔmとの対応関係を示すテーブルやマップを参照することで環境パラメータに対応する予測開放可能時間ｔmを取得する方法や、環境パラメータと予測開放可能時間ｔmとの対応関係を示す関数を用いて環境パラメータに対応する予測開放可能時間ｔmを取得する方法、等が用
いられてよい。予測開放可能時間ｔmを取得するためのテーブル、マップおよび関数等の
具体的な内容については、＜予測開放可能時間の取得方法＞の項において後述する。但し、具体的な予測開放可能時間ｔmの取得方法には、その他の方法が採用されてよい。予測
開放可能時間ｔmが取得されると、処理はステップＳ１０４へ進む。
【００４９】
ステップＳ１０４では、予測開放可能時間ｔmが出力される。出力部３６は、予測開放
可能時間取得部３３によって取得された予測開放可能時間ｔmを、タッチパネルディスプ
レイ１４等を介して出力することで、保守作業者等のユーザに通知する。予測開放可能時間ｔmが出力されると、本フローチャートに示された処理は終了する。
【００５０】
但し、ステップＳ１０４において出力される内容は、予測開放可能時間ｔmに応じた内
容であればよく、取得された予測開放可能時間ｔm自体でなくてもよい。例えば、予測開
放可能時間ｔmの取得の基となった測定値が取得された測定値取得時刻と、予測開放可能
時間ｔmと、現在時刻と、を用いて次の計算を行うことで、開放可能な残り時間を算出す
ることが出来る。
開放可能な残り時間＝予測開放可能時間ｔm−（現在時刻−測定値取得時刻）
このため、出力部３６は、開放可能な残り時間を算出し、これをカウントダウンするように出力してもよい。
【００５１】
また、測定値取得時刻と、予測開放可能時間ｔmと、を用いて次の計算を行うことで、
開放可能な限度時刻を算出することが出来る。
開放可能な限度時刻＝測定値取得時刻＋予測開放可能時間ｔm
このため、出力部３６は、開放可能な限度時刻を算出し、これを出力してもよい。
【００５２】
また、開放可能な残り時間が所定の閾値未満となった場合（開放可能な限度時刻が迫っている場合）や、開放可能な残り時間が尽きた場合（開放可能な限度時刻を経過した場合）には、ユーザへの警告を出力することとしてもよい。
【００５３】
また、ステップＳ１０４における出力先は、ユーザへの通知を目的とする場合には、タッチパネルディスプレイ１４の他、ＬＥＤ２４、スピーカ１５等、ユーザが五感を通じて通知を把握可能なユーザインターフェース装置となる。また、出力先は、装置に備えられた構成に限定されない。例えば、出力の内容は、有線／無線を介して、携帯電話やパーソナルコンピュータ等のユーザ端末へリモート出力されてもよい。更に、出力の目的がユーザへの通知ではなく、情報の蓄積や分析のみである場合には、出力先は単に他の装置やシステムであってよい。
【００５４】
次に、装置扉２２が開放状態となっている間、最新の環境パラメータに基づいた予測開
放可能時間ｔmを継続的に取得し、出力するための処理を説明する。
【００５５】
図４は、本実施形態に係る開放可能時間出力処理の流れを示すフローチャートである。本フローチャートに示された処理は、図３を用いて説明した開放可能時間出力処理に続いて実行される。
【００５６】
ステップＳ２０１では、装置扉２２の状態が判断される。開放検知部３４は、扉開閉センサ２３の出力を参照することで装置扉２２の開放状態を検知し、装置扉２２の開放状態が継続されているか否かを判定する。装置扉２２の開放状態が継続されていると判定された場合、処理はステップＳ２０２へ進む。装置扉２２の開放状態が継続されていない（即ち、装置扉２２が閉じられた）と判定された場合、本フローチャートに示された処理は終了する。
【００５７】
ステップＳ２０２からステップＳ２０５では、温度および湿度が取得され、取得された温度および湿度に基づく環境パラメータが取得され、環境パラメータに応じた予測開放可能時間ｔmが取得され、出力される。ステップＳ２０２からステップＳ２０５に示された
処理の詳細は、図３を用いて説明したステップＳ１０１からステップＳ１０４の処理の詳細と同様であるため、説明を省略する。その後、処理はステップＳ２０６へ進む。
【００５８】
ステップＳ２０６では、開放可能な残り時間があるか否かが判定される。制御部は、予測開放可能時間ｔmの取得の基となった測定値が取得された時刻、予測開放可能時間ｔmおよび現在時刻に基づいて、開放可能な残り時間を算出し、算出された残り時間がある（正である）か否かを判定する方法や、開放可能な限度時刻を算出し、算出された限度時刻が現在時刻よりも未来であるか否かを判定する方法等を用いて、開放可能な残り時間があるか否かを判定する。開放可能な残り時間および開放可能な限度時刻の具体的な算出方法は、図３を用いて説明したステップＳ１０４の処理の詳細において説明した算出方法と同様であるため、説明を省略する。
【００５９】
開放可能な残り時間がある（限度時刻を経過していない）と判定された場合、処理はステップＳ２０１へ進む。開放可能な残り時間がない（限度時刻を経過した）と判定された場合、処理はステップＳ２０７へ進む。
【００６０】
ステップＳ２０７では、通知による警告が行われる。出力部３６は、予め用意された警告内容を補助記憶装置１９から読み出し、タッチパネルディスプレイ１４に出力することで、保守作業者等のユーザに、開放可能な時間が経過したことを通知する。警告内容は、例えば、「保守作業可能な時間が経過しました」等のメッセージや、警告音等である。その後、本フローチャートに示された処理は終了する。
【００６１】
なお、本フローチャートに示した処理では、開放可能な残り時間がなくなった場合（限度時刻を経過した場合）に警告を行うこととしているが、警告は、残時間が所定の閾値未満となったことを契機として行われてもよい。このようにすることで、開放可能な残り時間が尽きる前にユーザに対して警告を行い、装置に問題が発生することを効果的に防止することが出来る。
【００６２】
次に、予測開放可能時間ｔmの取得方法のバリエーションを説明する。図３および図４
に示すフローチャートを用いて説明した処理の流れでは、得られた環境パラメータに基づいて１の予測開放可能時間ｔmが直接取得される方法について説明したが、予測開放可能
時間ｔmの取得には、一旦複数の予測開放可能時間ｔm1−ｔmnを取得し、取得された複数
の予測開放可能時間ｔm1−ｔmnを比較または重み付けして、最終的に１の予測開放可能時間ｔmを取得する方法が採用されてもよい。
【００６３】
初めに、複数の予測開放可能時間ｔm1−ｔmnを取得し、取得された複数の予測開放可能時間ｔm1−ｔmnを互いに比較して、最終的に１の予測開放可能時間ｔmを取得する方法に
ついて説明する。
【００６４】
図５は、本実施形態に係る、複数の予測開放可能時間ｔm1−ｔmnの比較処理を含む開放可能時間出力処理の流れを示すフローチャートを示す図である。
【００６５】
ステップＳ３０１およびステップＳ３０２では、温度および湿度が取得され、取得された温度および湿度に基づく環境パラメータが取得される。ステップＳ３０１およびステップＳ３０２に示された処理の詳細は、図３を用いて説明したステップＳ１０１およびステップＳ１０２の処理の詳細と同様であるため、説明を省略する。その後、処理はステップＳ３０３へ進む。
【００６６】
ステップＳ３０３では、複数の予測開放可能時間ｔm1−ｔmnが取得される。予測開放可能時間取得部３３は、ステップＳ３０２において取得された環境パラメータに示される環境における複数の予測開放可能時間ｔm1−ｔmnを取得する。予測開放可能時間ｔm1−ｔmnの具体的な取得方法として、テーブルやマップを参照すること方法や、関数を用いて取得する方法等が用いられてよいことは、図３を用いて説明したステップＳ１０３と同様である。但し、本フローチャートに係るステップＳ３０３では、複数の予測開放可能時間ｔm1−ｔmnが取得される点で、図３を用いて説明したステップＳ１０３と異なる。
【００６７】
取得される複数の予測開放可能時間ｔm1−ｔmnとしては、例えば、温度（内部温度Ｔinおよび外部温度Ｔoutの組み合わせ、または内部温度Ｔinと外部温度Ｔoutとの差分）に基づく予測開放可能時間ｔm1と、湿度（内部湿度Ｈinおよび外部湿度Ｈoutの組み合わせ、
または内部湿度Ｈinと外部湿度Ｈoutとの差分）に基づく予測開放可能時間ｔm2と、の組
み合わせが挙げられる。
【００６８】
また、複数の予測開放可能時間ｔm1−ｔmnとして、装置を構成する構成要素（タッチパネルディスプレイ１４、制御部、プリンタ１８、プリンタ出力用の紙、カメラ、等）毎に、取得された温度および湿度に基づく予測開放可能時間ｔm1−ｔmnを取得してもよい。ここで、構成要素毎の予測開放可能時間ｔm1−ｔmnとは、環境パラメータに示される環境において開放状態が継続された場合に、夫々の構成要素が正常な状態を維持可能と予測される時間である。即ち、構成要素毎の予測開放可能時間ｔm1−ｔmnが取得される場合、予測開放可能時間取得部３３は、タッチパネルディスプレイ１４が正常な状態を維持可能と予測される予測開放可能時間ｔm1、制御部が正常な状態を維持可能と予測される予測開放可能時間ｔm2、プリンタ１８が正常な状態を維持可能と予測される予測開放可能時間ｔm3、プリンタ出力用の紙が正常な状態を維持可能と予測される予測開放可能時間ｔm4、カメラが正常な状態を維持可能と予測される予測開放可能時間ｔm5、等を個別に取得する。複数の予測開放可能時間ｔm1−ｔmnが取得されると、処理はステップＳ３０４へ進む。
【００６９】
ステップＳ３０４では、最も短い予測開放可能時間が採用される。予測開放可能時間取得部３３は、ステップＳ３０３で取得された複数の予測開放可能時間ｔm1−ｔmnのうち、最も短いものを、装置全体に係る予測開放可能時間ｔmとして取得する。これは、装置が
全体として正常な状態を維持可能と予測される時間は、正常な状態を維持可能と予測される時間が最も短い構成要素の予測開放可能時間と同一であるためである。その後、処理はステップＳ３０５へ進む。
【００７０】
ステップＳ３０５では、ステップＳ３０４において取得された、装置全体に係る予測開放可能時間ｔmが出力される。ステップＳ３０５に示された処理の詳細は、図３を用いて
説明したステップＳ１０４の処理の詳細と同様であるため、説明を省略する。予測開放可能時間ｔmが出力されると、本フローチャートに示された処理は終了する。
【００７１】
このようにすることで、初めから１の予測開放可能時間ｔmを取得する場合に比べて、
環境パラメータと予測開放可能時間ｔmとの関係を示す情報（テーブル、マップ、関数等
）を簡素化することが出来る。
【００７２】
次に、複数の予測開放可能時間ｔm1−ｔmnを取得し、取得された複数の予測開放可能時間ｔm1−ｔmnを重み付けして、最終的に１の予測開放可能時間ｔmを取得する方法につい
て説明する。
【００７３】
図６は、本実施形態に係る、複数の予測開放可能時間ｔm1−ｔmnの重み付け処理を含む開放可能時間出力処理の流れを示すフローチャートを示す図である。
【００７４】
ステップＳ４０１からステップＳ４０３では、温度および湿度が取得され、取得された温度および湿度に基づく環境パラメータが取得され、複数の予測開放可能時間ｔm1−ｔmnが取得される。ステップＳ４０１からステップＳ４０３に示された処理の詳細は、図５を用いて説明したステップＳ３０１からステップＳ３０３の処理の詳細と同様であるため、説明を省略する。その後、処理はステップＳ４０４へ進む。
【００７５】
ステップＳ４０４では、複数の予測開放可能時間ｔm1−ｔmnへの重み付けが行われる。重み付け部３５は、ステップＳ４０３で取得された複数の予測開放可能時間ｔm1−ｔmnの夫々に対して、予め定められた条件に従って、重み付けを行う。重み付けは、係数を乗算する、所定値を加算する、等の方法が適宜選択されてよい。複数の予測開放可能時間ｔm1−ｔmnの重み付けの具体例としては、（１）保守内容に応じた重み付けや、（２）季節に応じた重み付け、（３）時間帯に応じた重み付け、等が挙げられる。例えば、保守内容に応じた重み付けでは、保守内容が紙交換である場合に、湿度から得られる予測開放可能時間ｔm2に乗算される係数を、温度から得られる予測開放可能時間ｔm1に乗算される係数よりも大きくする、といった重み付けが採用されてよい。季節に応じた重み付けでは、夏冬での環境の差に応じた重み付けが採用されてよいし、時間帯に応じた重み付けでは、昼夜での環境の差に応じた重み付けが採用されてよい。
【００７６】
ステップＳ４０５では、装置全体に係る１の予測開放可能時間ｔmが取得される。予測
開放可能時間取得部３３は、ステップＳ４０４における重み付けが行われた複数の予測開放可能時間ｔm1−ｔmnを合成して１の予測開放可能時間ｔmを算出することで、装置全体
に係る予測開放可能時間ｔmを取得する。装置全体に係る予測開放可能時間ｔmは、例えば、ステップＳ４０４で重み付けされた複数の予測開放可能時間ｔm1−ｔmnの平均を算出することで取得することが出来る。但し、複数の予測開放可能時間ｔm1−ｔmnを合成の具体的な方法には、その他の計算方法が採用されてよい。その後、処理はステップＳ４０６へ進む。
【００７７】
ステップＳ４０６では、ステップＳ４０５において取得された、装置全体に係る予測開放可能時間ｔmが出力される。ステップＳ４０６に示された処理の詳細は、図３を用いて
説明したステップＳ１０４の処理の詳細と同様であるため、説明を省略する。予測開放可能時間ｔmが出力されると、本フローチャートに示された処理は終了する。
【００７８】
このようにすることで、内部温湿度センサ２５および外部温湿度センサ２６によっては取得できない条件も考慮された、より正確な予測開放可能時間ｔmを得ることが可能とな
る。
【００７９】
＜予測開放可能時間の取得方法＞
次に、図７から図１４を用いて、環境パラメータに基づいて予測開放可能時間ｔmを取
得する、具体的な方法について説明する。
【００８０】
初めに、テーブルを用いた予測開放可能時間ｔmの取得方法について説明する。なお、
環境パラメータと予測開放可能時間ｔmとの関係が保持されるテーブルは、装置を用いた
実験によって作成されてもよいし、装置に用いられている各構成要素のスペックを参照して作成されてもよい。
【００８１】
図７は、本実施形態に係る温湿度テーブルを示す図である。温湿度テーブルは、外部温度Ｔout、内部温度Ｔin、外部湿度Ｈoutおよび内部湿度Ｈinの組み合わせからなる環境パラメータと、当該環境パラメータに示された環境において装置扉２２が開放された場合の予測開放可能時間ｔmと、が関連付けられて予め蓄積されたテーブルである。なお、外部
温度Ｔout、内部温度Ｔin、外部湿度Ｈoutおよび内部湿度Ｈinの組み合わせパターンは大量となるため、テーブルに保持する予測開放可能時間ｔmを、どの程度の温度または湿度
の間隔毎にサンプリングするのかは、実施の形態に応じて適宜設定されてよい。
【００８２】
温湿度テーブルを用いて予測開放可能時間ｔmを取得する場合、環境パラメータ取得部
３２は、環境パラメータとして外部温度Ｔout、内部温度Ｔin、外部湿度Ｈoutおよび内部湿度Ｈinの組み合わせを取得する。そして、予測開放可能時間取得部３３は、外部温度Ｔout、内部温度Ｔin、外部湿度Ｈoutおよび内部湿度Ｈinの組み合わせに基づいて温湿度テーブルを検索し、環境パラメータに示された組み合わせに最も近いレコードの予測開放可能時間ｔmを取得する。
【００８３】
なお、マップを用いた予測開放可能時間ｔmの取得方法についても、上記説明したテー
ブルを用いた予測開放可能時間ｔmの取得方法と概略同様である。温湿度マップは、実験
等によって測定された外部温度Ｔout、内部温度Ｔin、外部湿度Ｈoutおよび内部湿度Ｈinの組み合わせからなる環境パラメータと、当該環境パラメータに示された環境において装置扉２２が開放された場合の予測開放可能時間ｔmと、の関係をマップとして予め保持す
る。そして、予測開放可能時間取得部３３は、このマップを参照することで、環境パラメータに示された組み合わせに対応する予測開放可能時間ｔmを取得する。
【００８４】
次に、関数を用いた予測開放可能時間ｔmの取得方法について説明する。この場合、環
境パラメータ取得部３２は、環境パラメータとして外部温度Ｔout、内部温度Ｔin、外部
湿度Ｈoutおよび内部湿度Ｈinの組み合わせを取得する。そして、予測開放可能時間取得
部３３は、予め用意された、外部温度Ｔout、内部温度Ｔin、外部湿度Ｈoutおよび内部湿度Ｈinの組み合わせからなる環境パラメータと、当該環境パラメータに示された環境において装置扉２２が開放された場合の予測開放可能時間ｔmとの関係を表す関数Ｆ1（Ｔout
，  Ｔin，  Ｈout，  Ｈin）に、取得された環境パラメータを代入することで、予測開
放可能時間ｔmを取得する。
ｔm  ＝  Ｆ1（Ｔout，  Ｔin，  Ｈout，  Ｈin）
ここで、ｔmは予測開放可能時間ｔmを示す。
【００８５】
また、予測開放可能時間ｔmは、図５のステップＳ３０３において説明したように、温
度に基づいて取得される予測開放可能時間ｔmと、湿度に基づいて取得される予測開放可
能時間ｔmと、が別々に取得されてもよい。そして、このような場合にも、予測開放可能
時間ｔmは、テーブルまたはマップを参照して取得されてもよいし、関数を用いて取得さ
れてもよい。
【００８６】
初めに、テーブルを用いた予測開放可能時間ｔmの取得方法について説明する。
【００８７】
図８は、本実施形態に係る温度テーブルを示す図である。温度テーブルは、外部温度Ｔoutおよび内部温度Ｔinの組み合わせからなる環境パラメータと、当該環境パラメータに
おける予測開放可能時間ｔmと、が関連付けられて予め蓄積されたテーブルである。
【００８８】
温度テーブルを用いて予測開放可能時間ｔmを取得する場合、環境パラメータ取得部３
２は、環境パラメータとして外部温度Ｔoutおよび内部温度Ｔinの組み合わせを取得する
。そして、予測開放可能時間取得部３３は、外部温度Ｔoutおよび内部温度Ｔinの組み合
わせに基づいて温度テーブルを検索し、環境パラメータに示された組み合わせに最も近いレコードの予測開放可能時間ｔmを取得する。
【００８９】
図９は、本実施形態に係る湿度テーブルを示す図である。湿度テーブルは、外部湿度Ｈoutおよび内部湿度Ｈinの組み合わせからなる環境パラメータと、当該環境パラメータに
おける予測開放可能時間ｔmと、が関連付けられて予め蓄積されたテーブルである。
【００９０】
湿度テーブルを用いて予測開放可能時間ｔmを取得する場合、環境パラメータ取得部３
２は、環境パラメータとして外部湿度Ｈoutおよび内部湿度Ｈinの組み合わせを取得する
。そして、予測開放可能時間取得部３３は、外部湿度Ｈoutおよび内部湿度Ｈinの組み合
わせに基づいて湿度テーブルを検索し、環境パラメータに示された組み合わせに最も近いレコードの予測開放可能時間ｔmを取得する。
【００９１】
なお、マップを用いた予測開放可能時間ｔmの取得方法についても、上記説明したテー
ブルを用いた予測開放可能時間ｔmの取得方法と概略同様である。温度マップは、実験等
によって測定された外部温度Ｔoutおよび内部温度Ｔinの組み合わせからなる環境パラメ
ータと、予測開放可能時間ｔmと、の関係をマップとして予め保持する。また、湿度マッ
プは、実験等によって測定された外部湿度Ｈoutおよび内部湿度Ｈinの組み合わせからな
る環境パラメータと、予測開放可能時間ｔmと、の関係をマップとして予め保持する。そ
して、予測開放可能時間取得部３３は、これらのマップを参照することで、環境パラメータに示された組み合わせに対応する予測開放可能時間ｔmを取得する。
【００９２】
次に、経過時間算出関数を用いた予測開放可能時間ｔmの取得方法について説明する。
【００９３】
経過時間算出関数を用いて温度に基づく予測開放可能時間ｔmを取得する場合、環境パ
ラメータ取得部３２は、環境パラメータとして外部温度Ｔoutおよび内部温度Ｔinの組み
合わせを取得する。そして、予測開放可能時間取得部３３は、外部温度Ｔoutごとに予め
用意された、経過時間ｔと内部温度Ｔinとの関係を示す経過時間算出関数（ｔ  ＝  Ｆ2
（Ｔin））と、取得された環境パラメータとを用いて、温度に基づく予測開放可能時間ｔmを取得する。
【００９４】
図１０は、本実施形態における経過時間ｔと内部温度Ｔinとの関係を示す経過時間算出関数の一例をグラフに表した図である。経過時間算出関数は、装置扉２２が開放されると、時間の経過に従って内部温度Ｔinが外部温度Ｔoutに近付いていくことを表す。図１０
に示すグラフは、装置扉２２の開放前における外部温度Ｔoutが内部温度Ｔinに比べて低
い場合の経過時間ｔと内部温度Ｔinとの関係を示しており、この場合、内部温度Ｔinが高いほど装置扉２２が開放されてからの経過時間ｔが短く、内部温度Ｔinが低いほど装置扉２２が開放されてからの経過時間ｔが長い。
【００９５】
ここでは、予測開放可能時間ｔmの取得にあたって、装置が正常な状態を維持可能な温
度である限界温度Ｔlimが用いられる。即ち、予測開放可能時間ｔmは、現在の内部温度Ｔinに対応する経過時間ｔinと、限界温度Ｔlimに対応する経過時間ｔlimとの差分であり、
以下に示す計算によって算出し、取得することが出来る。
ｔlim  ＝  Ｆ2（Ｔlim）
ｔin  ＝  Ｆ2（Ｔin）
ｔm  ＝  ｔin  −  ｔlim
ここで、Ｆ2（ｘ）は経過時間ｔと内部温度Ｔinとの関係を示す経過時間算出関数（ｔ  
＝  Ｆ2（Ｔin））である。
【００９６】
また、経過時間算出関数を用いて湿度に基づく予測開放可能時間ｔmを取得する場合、
環境パラメータ取得部３２は、環境パラメータとして外部湿度Ｈoutおよび内部湿度Ｈin
の組み合わせを取得する。そして、予測開放可能時間取得部３３は、外部湿度Ｈoutごと
に予め用意された、経過時間ｔと内部湿度Ｈinとの関係を示す経過時間算出関数（ｔ  ＝
Ｆ3（Ｈin））と、取得された環境パラメータとを用いて、湿度に基づく予測開放可能
時間ｔmを取得する。
【００９７】
図１１は、本実施形態における経過時間ｔと内部湿度Ｈinとの関係を示す経過時間算出関数の一例をグラフに表した図である。経過時間算出関数は、装置扉２２が開放されると、時間の経過に従って内部湿度Ｈinが外部湿度Ｈoutに近付いていくことを表す。図１１
に示すグラフは、装置扉２２の開放前における外部湿度Ｈoutが内部湿度Ｈinに比べて低
い場合の経過時間ｔと内部湿度Ｈinとの関係を示しており、この場合、内部湿度Ｈinが高いほど装置扉２２が開放されてからの経過時間ｔが短く、内部湿度Ｈinが低いほど装置扉２２が開放されてからの経過時間ｔが長い。
【００９８】
ここでは、予測開放可能時間ｔmの取得にあたって、装置が正常な状態を維持可能な湿
度である限界湿度が用いられる。即ち、予測開放可能時間ｔmは、現在の内部湿度Ｈinに
対応する経過時間ｔinと、限界湿度に対応する経過時間ｔlimとの差分であり、以下に示
す計算によって算出し、取得することが出来る。
ｔlim  ＝  Ｆ3（Ｈlim）
ｔin  ＝  Ｆ3（Ｈin）
ｔm  ＝  ｔin  −  ｔlim
ここで、Ｆ3（ｘ）は経過時間ｔと内部湿度Ｈinとの関係を示す経過時間算出関数（ｔ  
＝  Ｆ3（Ｈin））である。
【００９９】
次に、温度差分Ｔdivに基づく予測開放可能時間ｔmの取得方法について説明する。
【０１００】
温度差分Ｔdivに基づく予測開放可能時間ｔmを取得する場合、環境パラメータ取得部３２は、環境パラメータとして外部温度Ｔoutと内部温度Ｔinとの差分（温度差分Ｔdiv）を取得する。そして、予測開放可能時間取得部３３は、外部温度Ｔoutごとに予め用意され
た、温度差分Ｔdivと予測開放可能時間ｔmとの関係を示す予測開放可能時間算出関数（ｔm  ＝  Ｆ4（Ｔdiv））を用いて、温度に基づく予測開放可能時間ｔmを取得する。
【０１０１】
図１２は、本実施形態における温度差分Ｔdivと予測開放可能時間ｔmとの関係を示す予測開放可能時間算出関数の一例をグラフに表した図である。予測開放可能時間算出関数は、装置扉２２が開放された場合の、所定の外部温度Ｔoutにおける温度差分Ｔdivに対応する、予測開放可能時間ｔmを表す。図１２に示すグラフは、装置扉２２の開放前における
外部温度Ｔoutが内部温度Ｔinに比べて低い場合の経過時間と内部温度Ｔinとの関係を示
しており、この場合、温度差分Ｔdivが大きいほど予測開放可能時間ｔmが長く、温度差分Ｔdivが小さいほど予測開放可能時間ｔmが短い。
【０１０２】
また、湿度差分Ｈdivに基づく予測開放可能時間ｔmを取得する場合、環境パラメータ取得部３２は、環境パラメータとして外部湿度Ｈoutと内部湿度Ｈinとの差分（湿度差分Ｈd
iv）を取得する。そして、予測開放可能時間取得部３３は、外部湿度Ｈoutごとに予め用
意された、湿度差分Ｈdivと予測開放可能時間ｔmとの関係を示す予測開放可能時間算出関数（ｔm  ＝  Ｆ5（Ｈdiv））を用いて、湿度に基づく予測開放可能時間ｔmを取得する。
【０１０３】
図１３は、本実施形態における湿度差分Ｈdivと予測開放可能時間ｔmとの関係を示す予測開放可能時間算出関数の一例をグラフに表した図である。予測開放可能時間算出関数は、装置扉２２が開放された場合の、所定の外部湿度Ｈoutにおける湿度差分Ｈdivに対応する、予測開放可能時間ｔmを表す。図１３に示すグラフは、装置扉２２の開放前における
外部湿度Ｈoutが内部湿度Ｈinに比べて低い場合の経過時間と内部湿度Ｈinとの関係を示
しており、この場合、湿度差分Ｈdivが大きいほど予測開放可能時間ｔmが長く、湿度差分Ｈdivが小さいほど予測開放可能時間ｔmが短い。
【０１０４】
次に、外部温湿度と内部温湿度との組み合わせに基づく予測開放可能時間ｔmの取得方
法について説明する。
【０１０５】
予測開放可能時間算出関数は、温度差分Ｔdivや湿度差分Ｈdivを引数とするものに限定されない。例えば、外部温度Ｔoutと内部温度Ｔinとの組み合わせを引数とする予測開放
可能時間算出関数や、外部湿度Ｈoutと内部湿度Ｈinとの組み合わせを引数とする予測開
放可能時間算出関数が用いられてもよい。
【０１０６】
外部温度Ｔoutと内部温度Ｔinとの組み合わせに基づく予測開放可能時間ｔmを取得する場合、環境パラメータ取得部３２は、環境パラメータとして外部温度Ｔoutおよび内部温
度Ｔinの組み合わせを取得する。そして、予測開放可能時間取得部３３は、予め用意された、外部温度Ｔoutおよび内部温度Ｔinの組み合わせと予測開放可能時間ｔmとの関係を示す予測開放可能時間算出関数（ｔm  ＝  Ｆ6（Ｔout，  Ｔin））を用いて、温度に基づ
く予測開放可能時間ｔmを取得する。
【０１０７】
図１４は、本実施形態における予測開放可能時間ｔm、外部温度Ｔout、および内部温度Ｔininの関係を示す予測開放可能時間算出関数の一例をグラフに表した図である。
【０１０８】
また、外部湿度Ｈoutと内部湿度Ｈinとの組み合わせに基づく予測開放可能時間ｔmを取得する場合、環境パラメータ取得部３２は、環境パラメータとして外部湿度Ｈoutおよび
内部湿度Ｈinの組み合わせを取得する。そして、予測開放可能時間取得部３３は、予め用意された、外部湿度Ｈoutおよび内部湿度Ｈinの組み合わせと予測開放可能時間ｔmとの関係を示す予測開放可能時間算出関数（ｔm  ＝  Ｆ7（Ｈout，  Ｈin））を用いて、湿度
に基づく予測開放可能時間ｔmを取得する。
【０１０９】
図１５は、本実施形態における予測開放可能時間ｔm、外部湿度Ｈout、および内部湿度Ｈininの関係を示す予測開放可能時間算出関数の一例をグラフに表した図である。
【０１１０】
＜環境パラメータ取得方法のバリエーション＞
図３および図４に示すフローチャートを用いて説明した処理の流れでは、環境パラメータとして温度および湿度自体が採用されるか、外部温湿度と内部温湿度との差分が採用される。このため、図３および図４に示すフローチャートを用いて説明した処理の流れでは、センサからの温度および湿度の取得は、１回の予測開放可能時間ｔmの取得に対して１
回であった。しかし、環境パラメータとして装置扉２２の開放前後の温度および湿度の変化を取得する場合には、１回の予測開放可能時間ｔmの取得に対して、センサからの温度
および湿度の取得を２回行う必要がある。以下、図１６を用いて、環境パラメータとして装置扉２２の開放前後の温度および湿度の変化を取得する場合の処理の流れを説明する。
【０１１１】
図１６は、本実施形態に係る開放可能時間出力処理の流れを示すフローチャートである。本フローチャートに示された処理が実行される契機は、図３を参照して説明した開放可能時間出力処理が実行される契機と同様であるため、説明を省略する。但し、図１６に示された開放可能時間出力処理は、装置扉２２の開放前後の内部温度Ｔinおよび内部湿度Ｈinの変化を取得するために、装置扉２２が開放されていない状態で実行開始される。
【０１１２】
ステップＳ５０１では、温度および湿度が取得される。測定部３１は、内部温湿度センサ２５から、装置扉２２が開放されていない状態の内部温度Ｔinおよび内部湿度Ｈinを取得する。温度および湿度が取得されると、処理はステップＳ５０２へ進む。
【０１１３】
ステップＳ５０２では、装置扉２２の状態が判断される。開放検知部３４は、扉開閉センサ２３の出力を参照することで装置扉２２の開放状態を検知し、装置扉２２が開放状態となったことを検知する。装置扉２２が開放状態となっていないと判定された場合、処理はステップＳ５０１へ進む。装置扉２２が開放状態となった（即ち、装置扉２２が開放された）と判定された場合、処理はステップＳ５０３へ進む。
【０１１４】
ステップＳ５０３では、温度および湿度が取得される。測定部３１は、内部温湿度センサ２５から、装置扉２２が開放されている状態（開放状態）の内部温度Ｔinおよび内部湿度Ｈinを取得する。なお、測定部３１は、開放検知部３４による開放検知から所定時間の経過を待って内部温度Ｔinおよび内部湿度Ｈinを取得してもよい。このようにすることで、装置扉２２の開放後所定の時間が経過した時点における、開放前からの温湿度の変化を取得することが出来る。
【０１１５】
ステップＳ５０４では、環境パラメータが取得される。測定部３１によって装置扉２２の開放前後の内部温度Ｔinおよび内部湿度Ｈinが取得されると、環境パラメータ取得部３２は、取得された開放前後の内部温度Ｔinおよび内部湿度Ｈin（開放前内部温度Ｔin、開放後内部温度Ｔin、開放前内部湿度Ｈinおよび開放後内部湿度Ｈin）に基づいて、環境パラメータを取得する。本フローチャートに示される処理においては、環境パラメータとして、開放前の内部温度Ｔinおよび内部湿度Ｈinと、開放後の内部温度Ｔinおよび内部湿度Ｈinとの差分が採用される。即ち、環境パラメータ取得部３２は、ステップＳ５０１において取得された開放前内部温度ＴinとステップＳ５０３において取得された開放後内部温度Ｔinとの差分、およびステップＳ５０１において取得された開放前内部湿度ＨinとステップＳ５０３において取得された開放後内部湿度Ｈinとの差分を、環境パラメータとする。環境パラメータが取得されると、処理はステップＳ５０５へ進む。
【０１１６】
ステップＳ５０５およびステップＳ５０６では、環境パラメータに応じた予測開放可能時間ｔmが取得され、出力される。ステップＳ５０５およびステップＳ５０６に示された
処理の詳細は、図３を用いて説明したステップＳ１０３およびステップＳ１０４の処理の詳細と同様であるため、説明を省略する。その後、本フローチャートに示された処理は終了する。
【０１１７】
本フローチャートに示された処理によれば、開放前後のＫＩＯＳＫ装置１内部の温湿度変化を用いて予測開放可能時間ｔmを取得することで、外部温湿度センサ２６を用いずに
、予測開放可能時間ｔmを得ることが出来る。
【符号の説明】
【０１１８】
１  ＫＩＯＳＫ装置
１４  タッチパネルディスプレイ
２２  装置扉
２３  扉開閉センサ
２５  内部温湿度センサ
２６  外部温湿度センサ
【図１】
0005715435.tif 000002
【図２】
0005715435.tif 000003
【図３】
0005715435.tif 000004
【図４】
0005715435.tif 000005
【図５】
0005715435.tif 000006
【図６】
0005715435.tif 000007
【図７】
0005715435.tif 000008
【図８】
0005715435.tif 000009
【図９】
0005715435.tif 000010
【図１０】
0005715435.tif 000011
【図１１】
0005715435.tif 000012
【図１２】
0005715435.tif 000013
【図１３】
0005715435.tif 000014
【図１４】
0005715435.tif 000015
【図１５】
0005715435.tif 000016
【図１６】
0005715435.tif 000017